(57)【要約】  支持構造および表示パネルを備える表示装置を提供する。支持構造は一般的に、第１の脚部アセンブリおよび第２の脚部アセンブリにより水平に支持されるクロスバーを有する。クロスバーの各端には連結部が設けられ、対応する脚部アセンブリを収容できるようになっている。複数の係止手段が設けられているため、工具を使用しなくても、クロスバーおよび脚部アセンブリを連結部に対し独立して係脱可能に接続できる。
2007527546.tif 000002
【特許請求の範囲】
【請求項１】
表示装置の支持構造であって、
第１端部および第２端部を有するクロスバーと、
対をなす第１脚部と、
第１横断方向キャビティおよび対をなす第１軸方向キャビティを有する第１連結部と、
対をなす第２脚部と、
第２横断方向キャビティおよび対をなす第２軸方向キャビティを有する第２連結部と、
前記クロスバーおよび前記対をなす第１脚部のうちいずれかの部材に配設される係止手段と、
を備え、
前記第１横断方向キャビティは、前記クロスバーの前記第１端部を収容し、
前記対をなす第１軸方向キャビティのそれぞれは、前記対をなす第１脚部のいずれかの脚部の端部を収容し、
前記第２横断方向キャビティは、前記クロスバーの前記第２端部を収容し、
前記対をなす第２軸方向キャビティのそれぞれは、前記対をなす第２脚部のいずれかの脚部の端部を収容し、
前記係止手段は移動止めを有し、
前記移動止めは所定の進出位置まで付勢され、前記進出位置では少なくとも前記移動止めの一部が、前記部材から進出し前記第１連結部に係止することにより、前記部材を前記第１連結部に係合させ、
前記移動止めは後退位置に配置可能であり、前記後退位置では、前記移動止めが前記部材内に配置されることにより前記第１連結部との係止が外れ、これにより前記部材が前記第１連結部との係合から開放される、
ことを特徴とする支持構造。
【請求項２】
請求項１に記載の支持構造において、
前記係止手段はさらに、
バネにより付勢される移動止めボタンを備える
ことを特徴とする支持構造。
【請求項３】
請求項１に記載の支持構造において、
前記支持構造はさらに、
前記クロスバーおよび前記対をなす第２脚部のうちいずれかの第２部材に配設される第２係止手段を備え、
前記第２係止手段は、所定の進出位置および所定の後退位置の間に配置可能な第２移動止めを有し、
前記進出位置では、少なくとも前記移動止めの一部が前記部材から進出し前記第２連結部と係止することにより、前記部材が前記第２連結部に係合され、
前記後退位置では、前記移動止めが前記部材内に配置されることにより前記第２連結部との係止が外れ、これにより前記部材が前記第２連結部との係合から開放される、
ことを特徴とする支持構造。
【請求項４】
請求項３に記載の支持構造において、
前記第１係止手段が前記クロスバーの前記第１端部に配設され、
前記第２係止手段が前記クロスバーの前記第２端部に配設される
ことを特徴とする支持構造。
【請求項５】
請求項１に記載の支持構造において、
前記支持構造はさらに、
前記クロスバーおよび前記対をなす第１脚部のうちいずれかの部材に配設される第２係止手段を備え、
前記第２係止手段は所定の進出位置および所定の後退位置の間に配置可能な移動止めを有し、
前記進出位置では、少なくとも前記移動止めの一部が、前記部材から進出し前記第１連結部と係止することにより、前記部材を前記第１連結部に係合させ、
前記後退位置では、前記移動止めが前記部材内に配置されることにより前記第１連結部との係止が外れ、これにより前記部材が前記第１連結部との係合から解除される
ことを特徴とする支持構造。
【請求項６】
請求項５に記載の支持構造において、
前記第１係止手段は前記対をなす第１脚部のいずれか一方の脚部の端部に配設され、
前記第２係止手段は前記対をなす第１脚部のいずれか他方の脚部の端部に配設される
ことを特徴とする支持構造。
【請求項７】
請求項１に記載の支持構造において、
前記支持構造はさらに、
前記クロスバーに連結される一対をなす標識パネルブラケットを備える
ことを特徴とする支持構造。
【請求項８】
請求項７に記載の支持構造において、
前記一対をなす標識パネルブラケットのそれぞれが、バネ部材により前記クロスバーに連結される
ことを特徴とする支持構造。
【請求項９】
請求項１に記載の支持構造において、
前記対をなす第１脚部が前記クロスバーの前記第１端部と相互連結し、
前記対をなす第２脚部が前記クロスバーの前記第２端部と相互連結する
ことを特徴とする支持構造。
【請求項１０】
請求項９に記載の支持構造において、
前記対をなす第１脚部のそれぞれが、前記クロスバーの前記第１端部に形成される組をなす第１孔部のいずれかを貫通し、
前記対をなす第２脚部のそれぞれが、前記クロスバーの前記第２端部に形成される組をなす第２孔部のいずれかを貫通する
ことを特徴とする支持構造。
【請求項１１】
請求項１に記載の支持構造において、
前記支持構造はさらに、
前記第１横断方向キャビティおよび前記第２横断方向キャビティのそれぞれに形成され、前記クロスバーを支持するブロックを備える
ことを特徴とする支持構造。
【請求項１２】
請求項１に記載の支持構造を備えた表示装置であって、
前記表示装置はさらに、
前記クロスバーから略垂直方向に支持される表示カードを備える
ことを特徴とする表示装置。
【請求項１３】
請求項１に記載の支持構造を、工具を使用せず、組み立てまたは分解する方法であって、
前記移動止めを前記後退位置に手動で配置し、
前記部材を前記第１連結部に対し移動させる
ことを特徴とする方法。
【請求項１４】
請求項３に記載の支持構造を、工具を使用せずに、組み立てまたは分解する方法であって、
前記移動止めを前記後退位置に手動で配置し、
前記部材を前記第１連結部に対し移動させ、
前記第２移動止めを前記後退位置に手動で配置し、
前記部材を前記第２連結部に対し移動させる
ことを特徴とする方法。
【請求項１５】
表示装置の支持構造であって、
第１端部および第２端部を有するクロスバーと、
前記クロスバーの前記第１端部を収容するための第１横断方向キャビティを有する第１脚部アセンブリと、
前記クロスバーの前記第１端部に配設される第１係止手段と、
前記クロスバーの前記第２端部を収容するための第２横断方向キャビティを有する第２脚部アセンブリと、
前記クロスバーの前記第２端部に配設される第２係止手段と、
を備え、
前記第１係止手段は、所定の進出位置まで付勢される第１移動止めを有し、
前記進出位置では、少なくとも前記第１移動止めの一部が、前記クロスバーから進出し前記第１脚部アセンブリと係止することにより、前記クロスバーを前記第１脚部アセンブリに係合させ、
前記第１移動止めは後退位置に配置可能であり、前記後退位置では、前記第１移動止めが前記クロスバー内に配置されることにより前記第１脚部アセンブリとの係止が外れ、これにより前記クロスバーが前記第１脚部アセンブリとの係止から解除され、
前記第２係止手段は、所定の進出位置まで付勢される第２移動止めを有し、前記進出位置では、少なくとも前記第２移動止めの一部が前記クロスバーから進出し前記第２脚部アセンブリと係止することにより、前記クロスバーを前記第２脚部アセンブリに係合させ、
前記第２移動止めは後退位置に配置可能であり、前記後退位置では、前記移動止めが前記クロスバー内に配置されることにより前記第２脚部アセンブリとの係止が外れ、これにより前記クロスバーが前記第２脚部アセンブリとの係止から解除される
ことを特徴とする支持構造。
【請求項１６】
請求項１５に記載の支持構造において、
前記支持構造はさらに、
前記クロスバーの前記第１端部と相互連結する対をなす第１脚部と、
前記クロスバーの前記第２端部と相互連結する対をなす第２脚部とを備える
ことを特徴とする支持構造。
【請求項１７】
請求項１６に記載の支持構造において、
前記対をなす第１脚部のそれぞれが、前記クロスバーの前記第１端部に形成される第１孔部を貫通し、
前記対をなす第２脚部のそれぞれが、前記クロスバーの前記第２端部に形成される第２孔部を貫通する
ことを特徴とする支持構造。
【請求項１８】
請求項１５に記載の支持構造において、
前記第１脚部アセンブリは、前記第１横断方向キャビティに形成され、前記クロスバーの前記第１端部の内面を支持する第１ブロックを有し、
前記第２脚部アセンブリは、前記第２横断方向キャビティに形成され、前記クロスバーの前記第２端部の内面を支持する第２ブロックを有する
ことを特徴とする支持機構。
【請求項１９】
請求項１５に記載の支持構造において、
前記支持構造はさらに、
前記クロスバーに連結される一対をなす標識パネルブラケットを備える
ことを特徴とする支持構造。
【請求項２０】
請求項１５に記載の支持構造において、
前記一対をなす標識パネルブラケットのそれぞれが、バネ部材により前記クロスバーに連結される
ことを特徴とする支持構造。
【請求項２１】
請求項１５に記載の支持構造を備えた表示装置であって、
前記表示装置はさらに、
前記クロスバーから略垂直方向に支持される表示カードを備える
ことを特徴とする表示装置。
【請求項２２】
請求項１５に記載の支持構造を、工具を使用せずに、組み立てまたは分解する方法であって、
前記第１移動止めを前記後退位置に手動で配置し、
前記クロスバーを前記第１脚部アセンブリに対し移動させ、
前記第２移動止めを前記後退位置に手動で配置し、
前記クロスバーを前記第２脚部アセンブリに対し移動させる
ことを特徴とする方法。
【請求項２３】
表示装置の支持構造であって、
第１端部および第２端部を有するクロスバーと、
対をなす第１脚部と、
前記クロスバーの前記第１端部および対をなす第１軸方向キャビティに設けられる第１連結部と、
対をなす第２脚部と、
前記クロスバーの前記第２端部および対をなす第２軸方向キャビティに設けられる第２連結部と、
を備え、
前記対をなす第１脚部は第１脚部係止手段を有し、
前記第１脚部係止手段は常態では進出位置に付勢される第１移動止めを有し、前記進出位置では、少なくとも前記第１移動止めの一部が前記対をなす第１脚部から進出し、
前記第１移動止めは後退位置に配置可能であり、前記後退位置では、前記第１移動止めが前記第１脚部内に配置され、
前記対をなす第１軸方向キャビティのそれぞれが前記対をなす第１脚部のいずれかを収容することにより、前記第１移動止めが、前記第１連結部を貫通して形成される第１孔部に進出するように構成され、
前記対をなす第２脚部は第２脚部係止手段を有し、
前記第２脚部係止手段は常態では進出位置に付勢される第２移動止めを有し、前記進出位置では、少なくとも前記第２移動止めの一部が前記対をなす第２脚部から進出し、
前記第２移動止めは後退位置に配置可能であり、前記後退位置では、前記第２移動止めが前記第２脚部内に配置され、
前記対をなす第２軸方向キャビティのそれぞれが前記対をなす第２脚部のいずれかを収容することにより、前記第２移動止めが、前記第２連結部を貫通して形成される第２孔部に進出するように構成される
ことを特徴とする支持構造。
【請求項２４】
請求項２３に記載の支持構造において、
前記支持構造はさらに、
第１横断方向キャビティを有し、前記クロスバーの前記第１端部を収容する前記第１連結部と、
第２横断方向キャビティを有し、前記クロスバーの前記第２端部を収容する前記第２連結部と、
を備えることを特徴とする支持構造。
【請求項２５】
請求項２４に記載の支持構造において、
前記支持構造はさらに、
前記第１横断方向キャビティおよび前記第２横断方向キャビティのそれぞれに形成され、前記クロスバーを支持するブロックを備える
ことを特徴とする支持構造。
【請求項２６】
請求項２３に記載の支持構造において、
前記対をなす第１脚部が前記クロスバーの前記第１端部と相互連結し、
前記対をなす第２脚部が前記クロスバーの前記第２端部と相互連結する
ことを特徴とする支持構造。
【請求項２７】
請求項２６に記載の支持構造において、
前記対をなす第１脚部のそれぞれが、前記クロスバーの前記第１端部に形成される組をなす第１孔部のいずれかを貫通し、
前記対をなす第２脚部のそれぞれが、前記クロスバーの前記第２端部に形成される組をなす第２孔部のいずれかを貫通する
ことを特徴とする支持構造。
【請求項２８】
請求項２３に記載の支持構造において、
前記支持構造はさらに、
前記クロスバーに連結される一対をなす標識パネルブラケットを備える
ことを特徴とする支持構造。
【請求項２９】
請求項２８に記載の支持構造において、
前記一対をなす標識パネルブラケットのそれぞれが、バネ部材により前記クロスバーに連結される
ことを特徴とする支持構造。
【請求項３０】
請求項２３に記載の支持構造を備えた表示装置であって、
前記表示装置はさらに、
前記クロスバーから略垂直方向に支持される表示カードを備える
ことを特徴とする表示装置。
【請求項３１】
請求項２３に記載の支持構造を、工具を使用せずに、組み立てまたは分解する方法であって、
前記第１移動止めを前記後退位置に手動で配置し、
前記対をなす第１脚部を前記第１連結部に対し移動させ、
前記第２移動止めを前記後退位置に手動で配置し、
前記対をなす第２脚部を前記第２連結部に対し移動させる
ことを特徴とする方法。
【請求項３２】
表示装置の支持構造であって、
第１端部と第２端部を有するクロスバーと、
第１横断方向キャビティと第１軸方向キャビティとを有する第１連結部と、
第２横断方向キャビティと第２軸方向キャビティとを有する第２連結部と、
前記第１軸方向キャビティに収容され、前記クロスバーの前記第１端部と相互連結する第１脚部と、
前記第２軸方向キャビティに収容され、前記クロスバーの前記第２端部と相互連結する第２脚部と、
を備え、
前記第１端部には前記第１端部を貫通する第１孔部が設けられ、前記第２端部には前記第２端部を貫通する第２孔部が設けられ、
前記第１横断方向キャビティは前記クロスバーの前記第１端部を収容することにより、前記第１軸方向キャビティは前記クロスバーの前記第１孔部と同一線上に並び、
前記第２横断方向キャビティは前記クロスバーの前記第２端部を収容することにより、前記第２軸方向キャビティは前記クロスバーの前記第２孔部と同一線上に並ぶ
ことを特徴とする支持構造。
【請求項３３】
請求項３２に記載の支持構造において、
前記支持構造はさらに、
前記第１連結部と前記第１脚部との間に設けられ、前記第１連結部を前記第１脚部に係脱可能に固着させる第１係止手段と、
前記第２連結部と前記第２脚部との間に設けられ、前記第２連結部を前記第２脚部に係脱可能に固着させる第２係止手段と、
を備えることを特徴とする支持構造。
【請求項３４】
請求項３３に記載の支持構造において、
前記支持構造はさらに、
前記第１脚部に配設され、所定の進出位置まで付勢される第１移動止めと、
前記第２脚部に配設され、所定の進出位置まで付勢される第２移動止めと、
を備え、
前記進出位置では、少なくとも前記第１移動止めの一部が、前記第１脚部から進出し前記第１連結部と係止することにより、前記第１脚部を前記第１連結部に係合させ、
前記第１移動止めは後退位置に配置可能であり、前記後退位置では、前記第１移動止めが前記前記第１脚部内に配置されることにより前記第１連結部との係止が外れ、これにより第１脚部が前記第１連結部との係止から解除され、
前記進出位置では、少なくとも前記第２移動止めの一部が、前記第２脚部から進出し前記第２連結部と係止することにより、前記第２脚部を前記第２連結部に係合させ、
前記第２移動止めは後退位置に配置可能であり、前記後退位置では、前記第２移動止めが前記前記第２脚部内に配置されることにより前記第２連結部との係止が外れ、これにより第２脚部が前記第２連結部との係止から解除される
ことを特徴とする支持構造。
【請求項３５】
請求項３２に記載の支持構造において、
前記第１脚部が、前記クロスバーの前記第１端部に形成される第１孔部を貫通し、
前記第２脚部が、前記クロスバーの前記第２端部に形成される第２孔部を貫通する
ことを特徴とする支持構造。
【請求項３６】
請求項３２記載の支持構造において、
前記支持構造はさらに、
前記第１横断方向キャビティおよび前記第２横断方向キャビティのそれぞれに形成され、前記クロスバーを支持するブロックを備える
ことを特徴とする支持構造。
【請求項３７】
請求項３２に記載の支持構造において、
前記支持構造はさらに、
前記クロスバーに連結される一対をなす標識パネルブラケットを備える
ことを特徴とする支持構造。
【請求項３８】
請求項３７に記載の支持構造において、
前記一対をなす標識パネルブラケットのそれぞれが、バネ部材により前記クロスバーに連結される
ことを特徴とする支持構造。
【請求項３９】
請求項３２に記載の支持構造を備えた表示装置であって、
前記表示装置はさらに、
前記クロスバーから略垂直方向に支持される表示カードを備える
ことを特徴とする表示装置。
【請求項４０】
請求項３４に記載の支持構造を、工具を使用せずに、組み立てまたは分解する方法であって、
前記第１移動止めを前記後退位置に手動で配置し、
前記第１脚部を前記第１連結部に対し移動させ、
前記第２移動止めを前記後退位置に手動で配置し、
前記第２脚部を前記第２連結部に対し移動させる
ことを特徴とする方法。
【発明の詳細な説明】
【技術分野】
【０００１】
本発明は移動表示標識に関し、さらに詳細には、工具を要せず組み立て可能なスナップ式移動標識スタンドに関する。
【背景技術】
【０００２】
広告産業では、移動可能な表示装置が広く用いられている。移動表示装置は一般に、屋外で使用されるため、移動表示装置自体の自立構造で立設できる必要がある。従来の自立型表示装置は、支持構造と、表示カードを収容するためのフレームとを備えている。支持構造は一般に、クロスバーと、クロスバーに取り付けられる一組の脚部を有する。フレームは一般に、クロスバーにより垂直に支持される。脚部は、クロスバーにネジを用いて固定される。
【発明の開示】
【発明が解決しようとする課題】
【０００３】
このような従来の構成では、組み立てに工具を要するという問題があった。そのため、組み立てが困難になり、時間がかかるという不具合が生じる。さらに、従来の装置を組み立てたままの状態で収納しようとすると、非常に場所をとり、収納に困るという問題もあった。
【課題を解決するための手段】
【０００４】
本発明は、工具を要せず、容易に組み立て・分解可能な標識スタンドアセンブリに関する。本発明の好適な実施形態では、スナップ式移動標識は、支持構造上に保持される表示カードを含んで構成されている。支持構造は、二対の脚部部材の間に水平に支持されるクロスバーを有する。クロスバーの各端および脚部部材の各端は、係止手段により、それぞれ対応する連結部に独立して係脱可能に接続される。表示カードは、一対のバネ部材とともに、クロスバー上に支持される。このバネ部材により、標識が強風に煽られた場合などに、標識は支持構造に対して撓性を有することができる。
【０００５】
本発明の他の実施形態によるスナップ式移動標識は、支持構造上に保持される表示カードを含んで構成されている。支持構造は、二対の脚部部材の間に水平に支持されるクロスバーを有する。各脚部部材は、係止手段により、それぞれ対応する連結部に独立して係脱可能に接続される。各脚部部材はまた、水平に配設されたクロスバーに係止され、これにより、支持構造の強度が向上する。表示カードは、一対のバネ部材とともに、クロスバー上に支持される。このバネ部材により、標識が強風に煽られた場合などに、標識は支持構造に対して撓性を有することができる。
【０００６】
本発明のその他の適用については、以下の詳細な説明において後述する。しかし、詳細な説明および具体的な例示は、本発明の好適な実施形態を表すが、説明の簡略化のみを目的とするものであって、本発明の範囲を限定しない。
【発明を実施するための最良の形態】
【０００７】
本発明を、以下の詳細な説明と添付図面により詳述する。以下に述べる好適な実施形態の説明は、発明の本質の例示を目的とし、本発明およびその適用や使用を限定するものではない。
【０００８】
図１および図２に示すように、表示装置１０の好適な実施形態は、支持構造１２およびフレーム１６に設けられた表示カード１４を含んで構成されている。この支持構造１２は一般に、二対の脚部アセンブリ１８を有する。各脚部アセンブリ１８は一般に、一対の筒状脚部部材２０を備えており、各脚部部材２０は、クロスバー２２を水平方向に支持する連結部２４に着脱可能に接続される。連結部２４には、クロスバー２２も係脱可能に接続される。クロスバー２２はふたつのフレームブラケット２６を支持する。各フレームブラケット２６は、バネ部材２８とＬ字部材３０を有する。フレームブラケット２６はまた、表示カード１４を収容するフレーム１６を積載するように構成される。フレーム１６は、止め具（図示せず）によりＬ字部材３０に固着され、これにより、フレーム１６が垂直姿勢に保持される。一実施形態として、フレームブラケット２６のバネ部材２８により、フレーム１６および表示カード１４が、支持構造１２から独立して、風力に対応できるようにすることが好ましい。
【０００９】
図３および図４に示すように、本発明の連結部２４における相互接続の好適な実施形態を説明する。連結部２４は一般に、クロスバー２２の端部を収容するための横断方向キャビティ４０を有する。連結部２４に形成される孔部５０は、連結部２４を貫通し、横断方向キャビティ４０に連通する。各連結部２４はまた、一対の互いに対向する軸方向キャビティ４２、４４を有し、これら軸方向キャビティ４２、４４は脚部部材２０を収容する。軸方向キャビティ４２、４４は水平方向から１０°程度、わずかに下方に傾けて配設される。これにより、脚部部材２０は、クロスバー２２を設置面から浮いた状態で支持する。連結部２４はさらに、複数の孔部を有する。孔部５２、５４は連結部２４を貫通し、それぞれ軸方向キャビティ４２、４４に連通する。なお、ここではひとつの連結部２４についてのみ説明するが、同一の連結部が支持構造１２の両側に配設され、連結部はそれぞれ対応するクロスバー２２および一対の脚部部材２０と接続可能に構成されている。また、連結部２４は射出成形ポリカーボネート部材であることが望ましい。しかしながら、他の材料や方法で適宜、連結部を構成してもよい。
【００１０】
図５に、係止手段６０により連結部２４に固着されたクロスバー２２の一実施例を示す。クロスバー２２はチャネル状部材を有し、その側壁を貫通する孔部７０が形成されている。孔部７０は、孔部５０と同一線上に並び、連結部２４の横断方向キャビティ４０に連通する。係止手段６０は、バネ要素６４により付勢される移動止めボタン６２を有する簡易解除手段を備える。移動止めボタン６２は、係止位置では、クロスバーの孔部７０および連結部２４の孔部５０を貫通し、クロスバー２２を独立して係脱可能に連結部２４の横断方向キャビティ４０に固着させる。移動止めボタン６２に力を加えれば、クロスバー２２を連結部２４から分離できる。力が加わることにより、移動止めボタン６２が横断方向キャビティ４０内に移動し、連結部２４の係止が外れる。これにより、クロスバー２２を連結部２４から取り外すことができる。
【００１１】
図６に、係止手段６０により連結部２４に固着された脚部部材２０の一実施例を示す。脚部部材２０は孔部８０を有する。この孔部８０は脚部部材２０を貫通し、連結部２４の第２の孔部５２と同一線上に並ぶ。係止手段６０は、バネ要素６４により付勢される移動止めボタン６２を有する簡易解除手段を備える。移動止めボタン６２は、脚部部材２０の孔部８０および連結部２４の孔部５２を貫通し、脚部部材２０を独立して係脱可能に軸方向キャビティ４２に固着させる。移動止めボタン６２に力を加えれば、脚部部材２０を連結部２４から分離できる。力が加わることにより、移動止めボタン６２が軸方向キャビティ４２の内に移動し、連結部２４の係止が外れる。これにより、脚部部材２０を連結部２４から取り外すことができる。なお、他の脚部部材２０もまた、上述したのと同様の構成により、連結部２４の他方の軸方向キャビティ４４（第１の孔部５４部分を含む）に固着される。各脚部部材２０およびクロスバー２２の各端部は、それぞれ独立した係止手段６０を備えており、これにより、連結部２４に固着される。また、移動止めボタンの簡易解除手段の一例をあげて説明したが、他の簡易解除手段を本発明の範囲内において採用しうることは言うまでもない。
【００１２】
組み立て前の脚部部材２０とクロスバー２２は、連結部２４から完全に分離された状態である。これらの部品は、上述したとおり、脚部２０とクロスバー２２を連結部２４に係脱可能に固着するための係止手段６０を備えている。各係止手段６０は、上述の移動止めボタン６２およびバネ要素６４のような簡易解除手段を有する。移動止めボタン６２に力が加えることによって、これらの部品を連結部２４の各キャビティに接続できる。つまり、力を加わることによって、移動止めボタン６２が環状またはチャネル状部品内に移動し、部品の外形寸法が小さくなってキャビティ４０、４２、４４への挿入が可能になる。部品が完全に挿入されると、移動止めボタン６２は連結部２４の対応する孔部と同一線上に並ぶ。同一線上に並ぶと、移動止めボタン６２はバネ要素６４により付勢され、孔部に係止される。これにより、部品が所定位置に固着される。各脚部部材２０およびクロスバー２２の各端部ごとに同様の作業を行い、本発明の表示装置１０を組み立てる。以上のとおり、工具を使用することなく、支持構造１２を容易に組み立て・分解することができる。
【００１３】
図７から図９に、本発明の支持構造１２に使用される脚部アセンブリ１１８の他の実施形態を示す。脚部部材１８は、一対の脚部部材１２０およびクロスバー１２２を有し、これら脚部部材１２０とクロスバー１２２は連結部１２４により相互接続される。連結部１２４は一般に、クロスバー１２２の端部を収容するための横断方向キャビティ１４０を有する。連結部１２４はさらに、一対の互いに対向する軸方向キャビティ１４２、１４４を有し、これら軸方向キャビティ１４２、１４４は脚部部材１２０を収容する。軸方向キャビティ１４２、１４４は水平方向から１０°程度、わずかに下方に傾けて配設される。クロスバー１２２は、脚部部材１２０を収容するための一組の孔部１９０（各端に２つ、合計４つ。図７では、ひとつの孔部のみ示されている）を有する。孔部１９０は、クロスバー１２２が横断方向キャビティ１４０に挿入された状態では、軸方向キャビティ１４２、１４４と同一線上に並ぶ。脚部部材１２０は、連結部１２４の軸方向キャビティ１４２、１４４に挿入された状態では、この孔部１９０に収容される。このように、脚部部材１２０がクロスバー１２２と相互連結することによって、脚部１２０の基盤が強化される。連結部１２４には、他の孔部も形成されている。孔部１５２、１５４は連結部１２４の側壁を貫通し、それぞれ軸方向キャビティ１４２、１４４に連通する。なお、ここではひとつの連結部１２４についてのみ説明したが、同一の連結部がクロスバー１２２の両側に配設され、クロスバー１２２および一対の脚部部材１２０と接続している。ここで、連結部１２４は射出成形ポリカーボネート部材であることが望ましい。しかしながら、他の材料や方法で適宜、連結部を構成してもよい
【００１４】
脚部部材１２０は、係止手段１６０により連結部１２４に固着される。脚部部材１２０には、脚部部材１２０を貫通する孔部１８０が形成されている。孔部１８０は、連結部１２４の孔部１５２と同一線上に並ぶ。係止手段１６０は、バネ要素６４により付勢される移動止めボタン１６２を有する簡易解除手段を備える。移動止めボタン１６２は、脚部部材１２０の孔部１８０および連結部１２４の孔部１５２を貫通し、脚部部材１２０を独立して係脱可能に軸方向キャビティ１４２および孔部１９０に固着させる。移動止めボタン１６２に力を加えれば、脚部部材１２０を連結部１２４から分離できる。力が加わることにより、移動止めボタン１６２が軸方向キャビティ１４２内に移動し、連結部１２４の係止が外れる。これにより、脚部部材１２０を連結部１２４から取り外すことができる。なお、他の脚部部材１２０もまた、上述したのと同様の構成により、連結部１２４の他方の軸方向キャビティ１４４（第１の孔部１５４部分を含む）、および、クロスバー１２２の他方の一対の孔部１９０に固着される。各脚部部材１２０は、連結部１２４に固着するための係止手段をそれぞれ独立して有する。クロスバー１２２は脚部部材１２０と相互連結して、連結部１２４に固着する。ここで、上述した簡易解除手段は実施形態の一例であり、他の係止手段を本発明の範囲内において採用しうることは言うまでもない。
【００１５】
図９に、脚部部材１２０が連結部１２４内においてクロスバー１２２と相互連結する状態を示す。脚部部材１２０、軸方向キャビティ１４２、１４４、クロスバー１２２の孔部１９０が互いに係止されることにより、基盤がさらに強化される。また、連結部１２４の横断方向キャビティ１４０内には、支持ブロック１４６が形成されている。この支持ブロック１４６は、クロスバー１２２の内壁と相補する形状に設けられている。軸方向キャビティ１４２、１４４は、支持ブロック１４６に連通し、脚部１２０の各端部をそれぞれ収容する。
【００１６】
図７に示すように、組み立て前の脚部部材１２０とクロスバー１２２は、連結部１２４から完全に分離された状態である。まず、クロスバー１２２が横断方向キャビティ１４０に挿入される。クロスバー１２２の内壁は、連結部１２４のキャビティ１４０内に設けられた支持ブロック１４６により支持される。このように、クロスバー１２２の端部は連結部１２４内に格納され、遊びのない、とまりばめ状態となる。次に、各脚部部材１２０はそれぞれ、軸方向キャビティ１４２、１４４に挿入される。つまり、移動止めボタン１６２に力が加えられ、各脚部部材１２０が連結部１２４の対応するキャビティ内に接続される。脚部部材１２０の外形寸法が小さくなることによって、脚部部材１２０がキャビティ１４２、１４４に挿入可能になる。脚部部材１２０が完全に挿入されると、移動止めボタン１６２は対応する孔部１５２、１５４と同一線上に並び、バネ要素１６４により孔部１５２、１５４に係止される。これにより、脚部部材１２０が所定位置に固着される。さらに、連結部１２４に固着されると、脚部部材１２０はクロスバー１２２の孔部１９０に収容され、クロスバー１２２と相互連結する。このように、脚部部材１２０、連結部１２４の軸方向キャビティ１４２、１４４、クロスバー１２２の孔部１９０が相互連結することによって、各脚部部材１２０とクロスバー１２２を所定位置に保持する強固な係止手段を実現する。各脚部部材１２０およびクロスバー１２２の各端部ごとに同様の作業を行い、本発明の表示装置１０を組み立てる。以上のとおり、工具を使用することなく、支持構造１２を容易に組み立て・分解することができる。
【００１７】
以上、本発明を好適な実施形態を例示して説明したが、本発明は前述の実施形態に限定されるものではなく、本発明の目的を達成できる範囲での変形、改良等は本発明に含まれる。たとえば、連結部２４、１２４の大きさや形状は、適用内容に合わせて適宜変更してもよい。また、連結部２４、１２４における、移動止めの孔部５０、５２、５４、１５２、１５４の配置位置および配向も適宜変更可能である。さらに、好適な実施形態の支持構造では、脚部部材２０、１２０、クロスバー２２、１２２のすべてが係脱可能に連結部に固着されていたが、支持構造が上述したよりも少ないまたは多い係止手段を備えていてもよい。たとえば、脚部アセンブリ１８、１１８はそれぞれ、クロスバー２２、１２２に係脱可能に固着される単一の要素を備えてもよい。上述した好適な実施形態ではまた、クロスバー２２または脚部部材２０、１２０に係止手段が設けられていたが、係止手段６０または移動止め機能は、連結部に形成されるキャビティ４０、４２、４４、１４２、１４４内に設けてもよく、これらは本発明の趣旨に含まれる。
【００１８】
本発明にかかる上述の説明は、本発明の本質を説明する一例にすぎず、したがって、発明の要旨を逸脱しない変更などは本発明の範囲に含まれ、本発明の精神および範囲から逸脱するものではない。
【図面の簡単な説明】
【００１９】
【図１】本発明に基づく表示装置の展開斜視図である。
【図２】本発明に基づく表示装置の斜視図である。
【図３】図１の連結部、脚部およびクロスバーの詳細図である。
【図４】図３の連結部の端面図である。
【図５】図３のＶ−Ｖ線における断面図である。
【図６】図３のＶＩ−ＶＩ線における断面図である。
【図７】本発明基づく連結部、脚部およびクロスバーの他の実施形態を示す展開斜視図である。
【図８】図７の実施形態の組み立て状態を示す斜視図である。
【図９】図８のＩＸ−ＩＸ線における断面図である。
【符号の説明】
【００２０】
１０   表示装置
１２   支持構造
１４   表示カード
１６   フレーム
１８   脚部アセンブリ
２０   脚部
２２   クロスバー
２４   連結部
２６   フレームブラケット
２８   バネ部材
３０   L字部材
４０   横断方向キャビティ
４２   軸方向キャビティ
４４   軸方向キャビティ
５０   孔部
５２   孔部
５４   孔部
６０   係止手段
６２   移動止めボタン
６４   バネ要素
７０   孔部
８０   孔部
１１８ 脚部アセンブリ
１２０ 脚部
１２２ クロスバー
１２４ 連結部
１４０ 横断方向キャビティ
１４２ 軸方向キャビティ
１４４ 軸方向キャビティ
１４６ 支持ブロック
１５２ 孔部
１５４ 孔部
１６０ 係止手段
１６２ 移動止めボタン
１６４ バネ要素
１８０ 孔部
１９０ 孔部
【図１】
2007527546.tif 000003
【図２】
2007527546.tif 000004
【図３】
2007527546.tif 000005
【図４】
2007527546.tif 000006
【図５】
2007527546.tif 000007
【図６】
2007527546.tif 000008
【図７】
2007527546.tif 000009
【図８】
2007527546.tif 000010
【図９】
2007527546.tif 000011
【国際調査報告】
2007527546.tif 000012
2007527546.tif 000013